【手続補正書】
【提出日】平成15年11月20日(2003.11.20)
【手続補正１】
【補正対象書類名】明細書
【補正対象項目名】発明の名称
【補正方法】変更
【補正の内容】
【発明の名称】検索装置および情報検索方法
【手続補正２】
【補正対象書類名】明細書
【補正対象項目名】特許請求の範囲
【補正方法】変更
【補正の内容】
【特許請求の範囲】
【請求項１】
複数の情報管理装置が互いに情報を送受する情報システムに設けられた検索装置であって、
前記情報管理装置間で送受される情報を分析する分析手段と、
前記分析手段の分析結果を監視し、当該分析結果の変化を検出する監視手段と、
を有することを特徴とする検索装置。
【請求項２】
複数の情報管理装置が互いに情報を送受する情報システムに設けられた検索装置であって、
前記複数の情報管理装置の間で送受された情報を情報管理装置ごとに分析する分析手段と、
前記分析手段の分析結果と、当該分析結果に対応する情報管理装置がどれであるかを表す参照情報とを組としたパイプ情報を管理するパイプ管理手段と、
前記パイプ管理手段が管理するパイプ情報の各々について、前記分析情報の時間的変化を検出する変化検出手段と、
前記パイプ管理手段が管理するパイプ情報のうち、前記変化検出手段で検出された分析情報の時間的変化に基づいて、パイプ情報を検索する検索手段と、
を有することを特徴とする検索装置。
【請求項３】
請求項２に記載の検索装置において、さらに、
前記検索手段により検索された複数のパイプ情報を合成し、新たなパイプ情報を生成するパイプ合成手段を有することを特徴とする検索装置。
【請求項４】
請求項２又は３に記載の検索装置において、
前記変化検出手段は、第１の期間における前記分析情報と、第２の期間における前記分析情報とに基づいて、前記分析情報の時間的変化を検出することを特徴とする検索装置。
【請求項５】
請求項２から４のいずれかに記載の検索装置において、
前記分析手段は、送受される情報について、意味集合の各要素の出現頻度を分析し、前記各要素と出現頻度とを対応づけて分析情報を生成することを特徴とする検索装置。
【請求項６】
請求項２から５のいずれかに記載の検索装置において、さらに、
検索キーの入力を受けて、当該検索キーを事前登録する手段を含み、
前記検索手段は、前記事前登録された検索キーと前記変化検出手段で検出された分析情報の時間的変化とに基づいて、前記パイプ管理手段が管理するパイプ情報を継続的に検索することを特徴とする検索装置。
【請求項７】
複数の情報管理装置が互いに情報を送受する情報システムに設けられた検索装置であって、
前記複数の情報管理装置の間で送受された情報を情報管理装置ごとに分析する分析手段と、
前記分析手段の分析結果と、当該分析結果に対応する情報管理装置がどれであるかを表す参照情報とを組としたパイプ情報を管理するパイプ管理手段と、
検索キーの入力を受けて、検索キーを事前登録する登録手段と、
前記事前登録された検索キーに基づいて、前記パイプ管理手段が管理するパイプ情報パイプ情報を継続的に検索する検索手段と、
を有することを特徴とする検索装置。
【請求項８】
複数の情報管理装置が互いに情報を送受する情報システムにおける情報検索方法であって、
前記情報管理装置間で送受される情報を分析する過程と、
前記分析結果を監視し、当該分析結果の変化を検出する過程と、
を含むことを特徴とする情報検索方法。
【請求項９】
複数の情報管理装置が互いに情報を送受する情報システムにおける情報検索方法であって、
前記複数の情報管理装置の間で送受された情報を情報管理装置ごとに分析する過程と、
前記分析結果と、当該分析結果に対応する情報管理装置がどれであるかを表す参照情報とを組としたパイプ情報を管理する過程と、
前記パイプ情報の各々について、前記分析情報の時間的変化を検出する過程と、
前記パイプ情報のうち、前記分析情報の時間的変化に基づいて、パイプ情報を検索する過程と、
を含むことを特徴とする情報検索方法。
【請求項１０】
複数の情報管理装置が互いに情報を送受する情報システムにおける情報検索方法であって、
前記複数の情報管理装置の間で送受された情報を情報管理装置ごとに分析する過程と、
前記分析結果と、当該分析結果に対応する情報管理装置がどれであるかを表す参照情報とを組としたパイプ情報を管理する過程と、
検索キーの入力を受けて、検索キーを事前登録する過程と、
前記事前登録された検索キーに基づいて、前記パイプ情報を継続的に検索する過程と、
を含むことを特徴とする情報検索方法。
【手続補正３】
【補正対象書類名】明細書
【補正対象項目名】０００１
【補正方法】変更
【補正の内容】
【０００１】
【発明の属する技術分野】
本発明は、複数の情報管理装置が互いに情報を送受する情報システムに設けられ、送受される情報の内容を分析する検索装置および当該情報システムにおける情報検索方法に関する。


【手続補正４】
【補正対象書類名】明細書
【補正対象項目名】０００８
【補正方法】変更
【補正の内容】
【０００８】
本発明は上記実情に鑑みて為されたもので、現在頻繁に送受されている不特定の話題を検出でき、「今盛り上がっている話題を知り、その相手とコミュニケーションを取りたい」という要求に応えることができ、さらに将来、要求した話題が盛り上がったときにタイムリーに当該話題で盛り上がっている相手を知らせることができる情報変換検出装置および情報変換検出方法を提供することを目的とする。


【手続補正５】
【補正対象書類名】明細書
【補正対象項目名】００１５
【補正方法】変更
【補正の内容】
【００１５】
上記従来例の問題点を解決するための請求項７記載の発明は、複数の情報管理装置が互いに情報を送受する情報システムに設けられた検索装置であって、前記複数の情報管理装置の間で送受された情報を情報管理装置ごとに分析する分析手段と、前記分析手段の分析結果と、当該分析結果に対応する情報管理装置がどれであるかを表す参照情報とを組としたパイプ情報を管理するパイプ管理手段と、検索キーの入力を受けて、検索キーを事前登録する登録手段と、前記事前登録された検索キーに基づいて、前記パイプ管理手段が管理するパイプ情報パイプ情報を継続的に検索する検索手段と、を有することを特徴としている。
上記従来例の問題点を解決するための請求項８記載の発明は、複数の情報管理装置が互いに情報を送受する情報システムにおける情報検索方法であって、前記情報管理装置間で送受される情報を分析する過程と、前記分析結果を監視し、当該分析結果の変化を検出する過程と、を含むことを特徴としている。
上記従来例の問題点を解決するための請求項９記載の発明は、複数の情報管理装置が互いに情報を送受する情報システムにおける情報検索方法であって、前記複数の情報管理装置の間で送受された情報を情報管理装置ごとに分析する過程と、前記分析結果と、当該分析結果に対応する情報管理装置がどれであるかを表す参照情報とを組としたパイプ情報を管理する過程と、前記パイプ情報の各々について、前記分析情報の時間的変化を検出する過程と、前記パイプ情報のうち、前記分析情報の時間的変化に基づいて、パイプ情報を検索する過程と、を含むことを特徴としている。
上記従来例の問題点を解決するための請求項１０記載の発明は、複数の情報管理装置が互いに情報を送受する情報システムにおける情報検索方法であって、前記複数の情報管理装置の間で送受された情報を情報管理装置ごとに分析する過程と、前記分析結果と、当該分析結果に対応する情報管理装置がどれであるかを表す参照情報とを組としたパイプ情報を管理する過程と、検索キーの入力を受けて、検索キーを事前登録する過程と、前記事前登録された検索キーに基づいて、前記パイプ情報を継続的に検索する過程と、を含むことを特徴としている。